(57)【要約】【課題】予測変換用に蓄積されたデータを、ユーザに意識させることなく有効活用し、個別なサービスの提供を可能にする。【解決手段】携帯端末１１０は、予測候補データを利用して、個別のサービスの提供を可能にする携帯端末１１０であって、入力された単語データを、予測変換用の基準により順位付けし、予測候補データとして記憶させる予測候補管理部と、順位付けされた予測候補データを記憶する予測候補記憶部と、記憶された予測候補データを、自己の識別情報とともに所定の予測候補蓄積サーバ１３０へ自動的に送信する予測候補送信部と、を備え、送信された予測候補データを利用したサービスの提供を可能にする。たとえば、予測候補データと広告データをマッチさせ、ユーザが個別に関心のある広告を携帯端末１１０に表示させることができる。【選択図】図１
2010117794.tif 000002
【特許請求の範囲】
【請求項１】
予測候補データを利用して、個別のサービスの提供を可能にする携帯端末であって、
入力された単語データを、予測変換用の基準により順位付けし、予測候補データとして記憶させる予測候補管理部と、
前記順位付けされた予測候補データを記憶する予測候補記憶部と、
前記記憶された予測候補データを、自己の識別情報とともに所定の予測候補蓄積サーバへ自動的に送信する予測候補送信部と、を備え、
前記送信された予測候補データを利用したサービスの提供を可能にすることを特徴とする携帯端末。
【請求項２】
請求項１記載の携帯端末と、
前記携帯端末から送信された予測候補データを受信し、前記識別情報に対応付けて前記予測候補データを蓄積する予測候補蓄積サーバと、を有することを特徴とする予測候補蓄積システム。
【請求項３】
前記予測候補蓄積サーバは、前記予測候補データに対応付けて前記予測候補データの受信時刻を蓄積することを特徴とする請求項２記載の予測候補蓄積システム。
【請求項４】
携帯端末に個別にマッチした広告データを配信する広告管理サーバであって、
前記携帯端末の識別情報を取得する識別情報取得部と、
前記取得した識別情報を用いて、あらかじめ前記携帯端末が作成した予測候補データを蓄積する予測候補蓄積サーバから、前記識別情報に対応する予測候補データを取得する予測候補取得部と、
あらかじめ複数の広告データを蓄積する広告蓄積部と、
前記取得された予測候補データと前記蓄積された広告データとをマッチングするマッチング部と、
前記マッチングにより決定した広告データを前記携帯端末に送信する広告送信部と、を備えることを特徴とする広告管理サーバ。
【請求項５】
請求項２または請求項３記載の予測候補蓄積システムと、
請求項４記載の広告管理サーバと、を有し、
前記予測変換データを利用し個別に携帯端末にマッチした広告データを配信することを特徴とする広告配信システム。
【発明の詳細な説明】
【技術分野】
【０００１】
本発明は、予測候補データを利用して、個別のサービスの提供を可能にする携帯端末、予測候補蓄積システム、広告管理サーバおよび広告配信システムに関する。
【背景技術】
【０００２】
従来、予測変換機能を備える携帯端末が知られている。そのような携帯端末では使用頻度の高い単語や最近使用された単語等が所定の基準で選択された予測候補として記憶されている。近年、ユーザの使いやすさを考慮した予測精度の高い予測変換機能が開発されている（たとえば、特許文献１参照）。特許文献１記載の文字入力変換装置は、受信メールの内容に基づいて行われた各グループの順位付けに応じて文字の文字変換又は予測変換を行い、文字予測変換の優先順位情報を格納し、候補リストの変換文字を確定する。
【特許文献１】特開２００７−２７２７３９号公報
【発明の開示】
【発明が解決しようとする課題】
【０００３】
このように順位付けされた予測候補は、高精度な予測をもとにユーザにとってますます利便性の高いものになりつつあり、高付加価値なものとなっている。しかしながら、現状では予測変換はあくまでも入力に対して薦められる変換候補として使用されるにすぎず入力に対する予測変換用データの域を出ない。
【０００４】
本発明は、このような事情を鑑みてなされたものであり、予測変換用に蓄積されたデータを、ユーザに意識させることなく有効活用し、個別なサービスの提供を可能にすることを目的とする。
【課題を解決するための手段】
【０００５】
（１）上記の目的を達成するため、本発明の携帯端末は、予測候補データを利用して、個別のサービスの提供を可能にする携帯端末であって、入力された単語データを、予測変換用の基準により順位付けし、予測候補データとして記憶させる予測候補管理部と、前記順位付けされた予測候補データを記憶する予測候補記憶部と、前記記憶された予測候補データを、自己の識別情報とともに所定の予測候補蓄積サーバへ自動的に送信する予測候補送信部と、を備え、前記送信された予測候補データを利用したサービスの提供を可能にすることを特徴としている。
【０００６】
このように本発明の携帯端末は、予測候補データを、自己の識別情報とともに所定の予測候補蓄積サーバへ自動的に送信する。そして、予測候補蓄積サーバに蓄積された予測候補データを有効活用し、ユーザに意識させることなく、個別なサービスの提供を可能にすることができる。たとえば、予測候補データと広告データをマッチさせ、ユーザが個別に関心のある広告を携帯端末に表示させることができる。
【０００７】
（２）また、本発明の予測候補蓄積システムは、上記の携帯端末と、前記携帯端末から送信された予測候補データを受信し、前記識別情報に対応付けて前記予測候補データを蓄積する予測候補蓄積サーバと、を有することを特徴としている。これにより、予測候補蓄積サーバに予測候補が蓄積され、予測候補データをユーザ別のサービスに利用可能にすることができる。
【０００８】
（３）また、本発明の予測候補蓄積システムは、前記予測候補データに対応付けて前記予測候補データの受信時刻を蓄積することを特徴としている。これにより、受信時刻を用いて情報鮮度で予測候補データを順位付けすることができる。たとえば、１年前に当時流行したワードをユーザが頻繁に用いたが現在ではあまり用いていない場合に、情報鮮度を判断要素として順位付けできれば、ユーザにとって旬な情報に基づいた広告をマッチングすることもでき、広告効果が高まる。
【０００９】
（４）また、本発明の広告管理サーバは、携帯端末に個別にマッチした広告データを配信する広告管理サーバであって、前記携帯端末の識別情報を取得する識別情報取得部と、前記取得した識別情報を用いて、あらかじめ前記携帯端末が作成した予測候補データを蓄積する予測候補蓄積サーバから、前記識別情報に対応する予測候補データを取得する予測候補取得部と、あらかじめ複数の広告データを蓄積する広告蓄積部と、前記取得された予測候補データと前記蓄積された広告データとをマッチングするマッチング部と、前記マッチングにより決定した広告データを前記携帯端末に送信する広告送信部と、を備えることを特徴としている。
【００１０】
このように、本発明の広告管理サーバは、識別情報に対応する予測候補データを取得し、取得された予測候補データと蓄積された広告データとをマッチングする。これにより、ユーザに意識させることなく、ユーザが興味を有する広告を個別に配信することができる。
【００１１】
（５）また、本発明の広告配信システムは、上記の予測候補蓄積システムと、上記の広告管理サーバと、を有し、前記予測変換データを利用し個別に携帯端末にマッチした広告データを配信することを特徴としている。これにより、ユーザに意識させることなく、ユーザが興味を有する広告を個別に配信することができる。
【００１２】
従来は閲覧者とそのＷｅｂページ作成者は、別人であり、興味が無いページを表示したとしても、閲覧者に対して、無駄な広告を配信しかねないことから閲覧履歴等を用いてマッチング広告が配信される広告配信システムが提案されていた。しかし、Ｗｅｂページのテキストデータを解析して、そのページにマッチした広告を出すことは、一般の広告よりも効果があるものの、コンテンツの内容が１ページに複数の違ったカテゴリをもつものに対しても正確にマッチした広告を出すことは不可能であり限界がある。そこで、本発明の広告配信システムは予測候補データを用いて広告とのマッチングを行うことで、さらにユーザ志向を高めている。
【発明の効果】
【００１３】
本発明によれば、予測候補蓄積サーバに蓄積された予測候補データを、ユーザに意識させることなく有効活用し、個別なサービスの提供を可能にすることができる。たとえば、予測候補データと広告データをマッチさせ、ユーザが個別に関心のある広告を携帯端末に表示させることができる。
【発明を実施するための最良の形態】
【００１４】
次に、本発明の実施の形態について、図面を参照しながら説明する。説明の理解を容易にするため、各図面において同一の構成要素に対しては同一の参照番号を付し、重複する説明は省略する。
【００１５】
（システムの構成）
図１は、広告配信システム１００の構成を示す概略図である。図１に示すように、広告配信システム１００は、携帯端末１１０、識別情報管理サーバ１２０、予測候補蓄積サーバ１３０および広告管理サーバ１４０を備えている。携帯端末１１０は、通信可能な携帯用の端末であり、たとえば携帯電話機である。携帯端末１１０と各サーバとはネットワークＮを介して接続されている。識別情報管理サーバ１２０は、携帯端末１１０の識別情報を管理し、携帯端末１１０または広告管理サーバ１４０から識別情報の照会があったときには識別情報を送信する。予測候補蓄積サーバ１３０は、携帯端末１１０から受信した予測候補データを個別に蓄積する。広告管理サーバ１４０は、広告データを蓄積し、携帯端末１１０から広告データの取得を要求されたときには、個別にマッチした広告データを送信する。
【００１６】
図２は、広告配信システム１００を構成する各装置と、その構成を示すブロック図である。図２に示すように、携帯端末１１０は、入力部１１１、予測変換部１１２、予測候補管理部１１３、予測候補記憶部１１４、識別情報取得部１１５、表示部１１６、予測候補送信部１１７、Ｗｅｂ情報取得部１１８および制御バスＬ１を備えている。制御バスＬ１は、各部間の信号やデータの送受に用いられる幹線を概念的に示したものである。
【００１７】
入力部１１１は、ユーザの入力を受け付ける。ユーザは、入力部１１１を用いて、文章を入力でき、その際には、予測変換が行われる。予測変換部１１２は、文章入力の際にユーザが入力した文字をもとに予測候補記憶部１１４を参照して、予測された変換候補（予測候補）の単語を出力する。たとえば、ユーザが頻繁に使用する単語を候補の中から優先して出力することで単語の入力が容易となる。
【００１８】
予測候補管理部１１３は、入力された単語データを、予測変換用の基準により順位付けし、予測候補データとして記憶させる。予測変換用の基準は特に限定されないが、たとえば入力の頻度や直近性、利用用途の重要性等が挙げられる。さらに、複数の予測候補データを所定の分野やカテゴリに集約し、分野やカテゴリについて順位付けを行ってもよい。携帯端末１１０側で、利用し易い形式に情報を集約することで、予測候補蓄積サーバ１３０や広告管理サーバ１４０の負担を軽減し、効率よく広告とのマッチング等をすることができる。予測候補記憶部１１４は、このように順位付けされた予測候補データを記憶する。識別情報取得部１１５は、予測候補データを予測候補蓄積サーバ１３０に送信する際に、識別情報管理サーバ１２０に識別情報を照会し、識別情報を取得する。
【００１９】
表示部１１６は、文章入力時の予測候補、Ｗｅｂサイトやそれに用いられる広告などを表示する。予測候補送信部１１７は、記憶された予測候補データを、自己の識別情報とともに所定の予測候補蓄積サーバへ自動的に送信する。送信のタイミングは、３時間おきのように定期的に自動送信する。たとえば毎日０時から３時等の真夜中の時間帯に送信する場合にはトラフィックを軽減することができる。また、予測候補データを全て送信せず、前回送信時から更新された差分のみを送信してもよい。なお、定量的に前回送信時からの予約候補データの更新度が所定以上になったときに送信することとしてもよい。
【００２０】
Ｗｅｂ情報取得部１１８は、ユーザ操作によりＷｅｂサイトの閲覧等がなされたときに、Ｗｅｂ情報を取得する。そして、広告データを取得する際には、広告管理サーバ１４０に対して広告データを要求する。このように構成された携帯端末１１０は、予測候補データを予測候補蓄積サーバ１３０に蓄積させて、それを利用する個別のサービスの提供を可能にする。なお、携帯端末１１０による予測候補データの収集、集約、送信の機能は、ガジェット等のアプリを常駐させることにより実現することが可能である。このように、携帯端末１１０内の予測候補データを用いることで、ユーザに密着した広告の提示が可能となる。たとえば、メモ機能を用いて書いた住所等をもとに、地域イベントの広告が提示される等のこれまでにない広告を実現することができる。
【００２１】
予測候補蓄積サーバ１３０は、携帯端末１１０から送信された予測候補データを受信し、識別情報に対応付けて予測候補データを蓄積するサーバである。予測候補蓄積サーバ１３０は、予測候補受信部１３１、情報管理部１３２、予測候補データベース１３３、予測候補送信部１３４および制御バスＬ３を備えている。制御バスＬ３は、各部間の信号やデータの送受に用いられる幹線を概念的に示したものである。
【００２２】
予測候補受信部１３１は、各携帯端末１１０から自動的にプッシュ配信される予測候補データを受信する。情報管理部１３２は、識別情報に対応付けて予測候補データを蓄積させる。すなわち予測候補データを受信するたびに随時更新させることになる。情報管理部１３２は、受信した予測候補データを順位付けして記憶させてもよい。その場合には、予測候補受信部１３１でデータを受信するときに予測候補データに対応付けて受信時刻も記憶させることができる。これにより、受信時刻を用いて情報鮮度で予測候補データを順位付けすることができる。たとえば、１年前に当時流行したワードをユーザが頻繁に用いたが現在ではあまり用いていない場合に、情報鮮度を判断要素として重視したときにはそのワードは下位に順位付けされる。また、情報管理部１３２は、複数の予測候補データを所定の分野やカテゴリに集約し、分野やカテゴリについて順位付けを行ってもよい。予測候補蓄積サーバ１３０側において利用し易い形式に情報を集約することで、携帯端末１１０や広告管理サーバ１４０の負担を軽減し、効率よく広告とのマッチング等をすることができる。
【００２３】
また、広告管理サーバ１４０から予測候補データの取得要求を受けた場合には、識別情報を参照して予測候補データを送信用に抽出する。予測候補データベース１３３は、識別情報に対応付けて予測候補データを蓄積する。予測候補送信部１３４は、予測候補データを送信する。
【００２４】
広告管理サーバ１４０は、携帯端末１１０からの要求に対して、携帯端末１１０にマッチした広告データを配信する。広告管理サーバ１４０は、識別情報取得部１４１、予測候補取得部１４２、広告蓄積部１４３、マッチング部１４４、広告送信部１４５および制御バスＬ４を備えている。制御バスＬ４は、各部間の信号やデータの送受に用いられる幹線を概念的に示したものである。
【００２５】
識別情報取得部１４１は、携帯端末１１０を認識し、識別情報管理サーバ１２０にその識別情報を照会して、携帯端末１１０の識別情報を取得する。予測候補取得部１４２は、識別情報管理サーバ１２０から取得した携帯端末１１０の識別情報を用いて予測候補蓄積サーバ１２０からその識別情報に対応する予測候補データを取得する。広告蓄積部１４３は、あらかじめ複数の広告データを蓄積する。
【００２６】
マッチング部１４４は、取得された予測候補データと蓄積された広告データとをマッチングする。たとえば、「映画」という単語に対しポップコーンの広告データを抽出する等、場面まで考慮したマッチングが好ましい。マッチング部１４４は、携帯端末１１０が取得するＷｅｂページのテキスト情報と予測候補データの両方を用いて、広告データとのマッチングを行ってもよい。また、マッチング部１４４は、携帯端末１１０または予測候補蓄積サーバ１３０の代わりに、広告とのマッチング用に複数の予測候補データを分野別またはカテゴリ別に集約したり、分野やカテゴリについて順位付けしたりしてもよい。広告送信部１４５は、決定した広告データを要求した携帯端末１１０に送信する。このようにして広告配信システム１００は、予測候補データと広告データとをマッチさせることで個別の携帯端末１１０に対応した広告データを配信する。
【００２７】
（システムの動作）
次に、上記のように構成されるシステムの動作を説明する。図３は、予測候補蓄積システムの予想候補データの蓄積動作の一例を示すシーケンスチャートである。まず、携帯端末１１０は、ユーザによりメール作成、メモ編集、Ｗｅｂ上での書き込み等により使用され、予測候補データを蓄積する（ステップＳ１）。そして、たとえば定期的に発生するトリガにより、携帯端末１１０は、予測候補データの送信処理を開始する（ステップＳ２）。その際には、識別情報管理サーバ１２０に識別情報の照会を要求する（ステップＳ３）。
【００２８】
識別情報の照会を要求された識別情報管理サーバ１２０は、要求した携帯端末１１０の識別情報を照会し（ステップＳ４）、取得した識別情報を携帯端末１１０に送信する（ステップＳ５）。識別情報を受信した携帯端末１１０は、識別情報とともに予測候補データを予測候補蓄積サーバ１３０に送信する（ステップＳ６）。そして、予測候補蓄積サーバ１３０は、受信した予測候補データを識別情報に対応付けて蓄積する（ステップＳ７）。このようにして、各携帯端末１１０の予測候補データは、予測候補蓄積サーバ１３０に蓄積され定期的に更新される。
【００２９】
次に、蓄積された予測候補データを広告配信に利用する場合のシステムの動作について説明する。図４は、広告配信システム１００による広告配信の動作の一例を示すシーケンスチャートである。まず、携帯端末１１０が広告を含むＷｅｂサイトへアクセスする（ステップＴ１）。それに伴い、携帯端末１１０は、広告管理サーバ１４０に広告取得を要求する（ステップＴ２）。
【００３０】
広告取得の要求を受けた広告管理サーバ１４０は、要求した携帯端末１１０の識別情報の照会を要求する（ステップＴ３）。識別情報の照会を要求された識別情報管理サーバ１２０は、照会を要求した携帯端末１１０の識別情報を照会する（ステップＴ４）。識別情報管理サーバ１２０は、照会の結果得られた識別情報を広告管理サーバ１４０に送信する（ステップＴ５）。識別情報を受信した広告管理サーバ１４０は、その識別情報とともに予測候補データの取得を要求する（ステップＴ６）。予測候補データの取得を要求された予測候補蓄積サーバ１３０は、同時に受信した識別情報を参照して予測候補データを抽出し、広告管理サーバ１４０に送信する（ステップＴ７）。
【００３１】
広告管理サーバ１４０は、得られた予測候補データを用いて広告データとのマッチングを行う（ステップＴ８）。その際には、予測候補データの単語のみならず優先順位等も参照して最適な広告データを選択するのが好ましい。そして、広告取得を要求した携帯端末１１０に選択された広告データを送信する（ステップＴ９）。携帯端末１１０は、受信した広告データをもとに広告を表示する（ステップＴ１０）。このようにして、広告配信システム１００は、ユーザが意識しないうちに予測候補データを蓄積し、その蓄積されたデータをもとにユーザにマッチした広告を提供することができる。
【００３２】
次に、予測候補蓄積サーバ１３０の予測候補データベースのデータ構造例を説明する。図５は、予測候補データベースに記憶されるデータの一例を示す図である。図５に示すように携帯端末１１０の識別情報１２３４５６７８９〜１２３４５６７９２に対応して予測候補データとして単語の集合が蓄積されている。予測候補データとして優先度の高い順に単語が蓄積されている場合には、マッチングされた広告データのうち、優先度の高い単語に関連する広告データが優先される。このようにして、効果の高い広告を携帯端末１１０に表示することが可能となる。元々別の用途で蓄積されている情報を用いて、簡易に実現でき、またユーザにとって最も旬な情報を利用できることから、本発明は顕著な効果を奏する。なお、メールの受信情報を利用して広告とのマッチングを行うことも考えられるが、メールマガジン等の情報もマッチング用に含まれてしまうため、ユーザの興味の無い広告が選ばれる可能性があり、マッチング精度が低下する。
【００３３】
なお、上記の実施形態では、識別情報管理サーバ１２０が識別情報を管理するが、識別情報管理サーバ１２０を省略したシステムにおいて、携帯端末１１０が識別情報を管理することとしてもよい。また、予測候補蓄積サーバ１３０、広告管理サーバ１４０は機能的な要素の集合を意味し、必ずしも物理的に単一の装置を意味するものではない。たとえば、データベースと管理機能部分とが分離していてもよい。
【図面の簡単な説明】
【００３４】
【図１】本発明に係る広告配信システムの構成を示す概略図である。
【図２】本発明に係る広告配信システムを構成する各装置と、その構成を示すブロック図である。
【図３】本発明に係る予測候補蓄積システムの予想候補データの蓄積動作の一例を示すシーケンスチャートである。
【図４】本発明に係る広告配信システムによる広告配信の動作の一例を示すシーケンスチャートである。
【図５】予測候補データベースに記憶されるデータの一例を示す図である。
【符号の説明】
【００３５】
１００ 広告配信システム
１１０ 携帯端末
１１１ 入力部
１１２ 予測変換部
１１３ 予測候補管理部
１１４ 予測候補記憶部
１１５ 識別情報取得部
１１６ 表示部
１１７ 予測候補送信部
１１８ Ｗｅｂ情報取得部
１２０ 識別情報管理サーバ
１３０ 予測候補蓄積サーバ
１３１ 予測候補受信部
１３２ 情報管理部
１３３ 予測候補データベース
１３４ 予測候補送信部
１４０ 広告管理サーバ
１４１ 識別情報取得部
１４２ 予測候補取得部
１４３ 広告蓄積部
１４４ マッチング部
１４５ 広告送信部
【図１】
2010117794.tif 000003
【図２】
2010117794.tif 000004
【図３】
2010117794.tif 000005
【図４】
2010117794.tif 000006
【図５】
2010117794.tif 000007